(57)【要約】【課題】モニタ付増設親機を商用電源へと接続せずに設置を容易とする。【解決手段】カメラ付玄関子機１の呼出ボタン１０が操作されると、カメラ１１にて映像の撮影が開始し、子機ケーブルＬ１を介してカメラ付玄関子機に接続されたモニタ付親機２では、カメラにて撮影された映像が親機モニタ２０に出画されるとともに、商用電源について整流／平滑させた電源ユニット２６からの直流電源が子機ケーブルを介してカメラ付玄関子機および親機ケーブルＬ５を介して接続されたモニタ付増設親機３の増設親機インターホン部３１へと供給されそれぞれの動作電源となる。また、（個別の）親機ケーブルＬ２、Ｌ３、Ｌ４、Ｌ５を介してモニタ付親機に接続されたモニタ付増設親機において、カメラ付玄関子機のカメラにて撮影された映像を出画する増設親機モニタ３０は、当該モニタ付増設親機の電池３６から供給される直流電源が動作電源となる。【選択図】  図２
2004229107.tif 000002
【特許請求の範囲】
【請求項１】
来訪者が居住者を呼び出すための呼出ボタン（１０）、前記来訪者の映像を撮影するためのカメラ（１１）、前記来訪者が前記居住者との間で通話を行うためのマイク（１２）およびスピーカ（１３）を有するカメラ付玄関子機（１）と、
前記カメラ付玄関子機に子機ケーブル（Ｌ１）を介して接続され、前記カメラ付玄関子機のカメラにて撮影された来訪者の映像を出画するための親機モニタ（２０）、前記居住者が前記来訪者との間で通話を行うための親機インターホン部（２１）、商用電源から給電され前記モニタおよび前記インターホン部へ直流電源を供給するための電源ユニット（２６）を有するモニタ付親機（２）と、
前記モニタ付親機に親機ケーブル（Ｌ２、Ｌ３、Ｌ４、Ｌ５）を介して接続され、前記カメラ付玄関子機のカメラにて撮影された来訪者の映像を出画するための増設親機モニタ（３０）、前記居住者が前記来訪者との間で通話を行うための増設親機インターホン部（３１）を有するモニタ付増設親機（３）とを備え、
前記モニタ付増設親機の前記増設親機インターホン部へは前記モニタ付親機からの前記直流電源を供給し、前記増設親機モニタへは前記モニタ付増設親機に内蔵された電池（３６）からの直流電源を供給することを特徴とするテレビドアホン装置。
【請求項２】
前記電池として、充電回路（３５）にて蓄電される２次電池を使用することを特徴とする請求項１記載のテレビドアホン装置。
【請求項３】
前記充電回路は、前記モニタ付親機からの前記直流電源の供給により充電されることを特徴とする請求項２記載のテレビドアホン装置。
【請求項４】
前記電池として、１次電池を使用することを特徴とする請求項１記載のテレビドアホン装置。
【請求項５】
前記親機ケーブルは、前記モニタ付親機から供給される前記直流電源および前記増設親機インターホン部へと伝送される信号を重畳して多重化された２線式であることを特徴とする請求項１記載のテレビドアホン装置。
【請求項６】
前記親機ケーブルは、前記モニタ付親機から供給される前記直流電源および前記増設親機モニタへと伝送される信号を重畳して多重化された２線式であることを特徴とする請求項１記載のテレビドアホン装置。
【発明の詳細な説明】
【０００１】
【発明の属する技術分野】
本発明はテレビドアホン装置に係り、特に、モニタ付親機とともに住戸内に設置されるモニタ付増設親機を、商用電源へと接続せずモニタ付親機からの直流電源の供給により作動させて設置を容易としたテレビドアホン装置に関する。
【０００２】
【従来の技術】
従来から、この種のテレビドアホン装置として、玄関に設置され来訪者が住戸内に在室中の居住者を呼び出して通話を行うための機能および当該来訪者の映像を撮影（撮像）するための機能を有するカメラ付玄関子機を２線ケーブルを介して住戸内に接続されるモニタ付親機へと接続し、このモニタ付親機が有する来訪者からの呼び出しがある旨の報知機能、来訪者の映像を出画するための機能および居住者が来訪者との間で通話を行うための機能と同様な機能を有するモニタ付増設親機を２線ケーブルを介して当該モニタ付親機へと接続させたテレビドアホン装置が提案／開示されている（例えば、特許文献１参照）。
【０００３】
従来例のテレビドアホン装置において、カメラ付玄関子機は、商用電源（ＡＣ１００Ｖ）について整流／平滑させたモニタ付親機から２線ケーブルを介して供給されてくる直流電源を受電し、この直流電源は当該カメラ付玄関子機の構成各部／回路への動作電源となる。また、モニタ付増設親機は、商用電源（ＡＣ１００Ｖ）について整流／平滑させた直流電源が動作電源となる。
【０００４】
【特許文献１】特開２００２−９４９７５号公報（段落番号００１４〜００２８、図１）
【０００５】
【発明が解決しようとする課題】
しかしながら、従来例のテレビドアホン装置において、モニタ付増設親機は、モニタ付親機との間で共用の基板を使用することが開発の前提とされ、このモニタ付増設親機を設置するにあたり、呼出・通話状態にある当該モニタ付増設親機に対してモニタ付親機から２線ケーブルを介して直流電源を供給することは、モニタ付親機の負担が大きくなり当該モニタ付親機にて整流／平滑された直流電源をフルシステムに対応させねばならず、当該モニタ付増設親機を商用電源に接続することのみが充分な動作電源を確保する手段であった。
【０００６】
本発明は、上述の難点を解消するためになされたもので、商用電源に接続されたモニタ付親機からモニタ付増設親機への電源供給路を音声・制御系と映像系とに分け、音声・制御系へはモニタ付親機からの直流電源を供給し、映像系へはモニタ付増設親機に内蔵された１次電池または２次電池から供給することにより、モニタ付増設親機を商用電源へと接続せずに設置を容易としたテレビドアホン装置を提供することを目的としている。
【０００７】
【課題を解決するための手段】
上述の目的を達成するため、本発明のテレビドアホン装置は、来訪者が居住者を呼び出すための呼出ボタン、来訪者の映像を撮影するためのカメラ、来訪者が居住者との間で通話を行うためのマイクおよびスピーカを有するカメラ付玄関子機と、カメラ付玄関子機に子機ケーブルを介して接続され、カメラにて撮影された来訪者の映像を出画するための親機モニタ、居住者が来訪者との間で通話を行うための親機インターホン部、商用電源から給電されモニタおよびインターホン部へ直流電源を供給するための電源ユニットを有するモニタ付親機と、モニタ付親機に親機ケーブルを介して接続され、モニタ付親機のカメラにて撮影された来訪者の映像を出画するための増設親機モニタ、居住者が来訪者との間で通話を行うための増設親機インターホン部を有するモニタ付増設親機とを備えたものであり、モニタ付増設親機の増設親機インターホン部へはモニタ付親機からの直流電源を供給し、増設親機モニタへはモニタ付増設親機に内蔵された電池からの直流電源を供給するものである。
【０００８】
このようなテレビドアホン装置によれば、来訪者による呼出操作としてカメラ付玄関子機の呼出ボタンが操作されると、カメラにて来訪者の映像の撮影が開始し、子機ケーブルを介してカメラ付玄関子機に接続されたモニタ付親機では、カメラにて撮影された映像が親機モニタに出画されるとともに、商用電源について整流／平滑させた電源ユニットからの直流電源が子機ケーブルを介してカメラ付玄関子機および親機ケーブルを介して接続されたモニタ付増設親機の増設親機インターホン部へと供給されそれぞれの動作電源となる。また、（個別の）親機ケーブルを介してモニタ付親機に接続されたモニタ付増設親機において、カメラ付玄関子機のカメラにて撮影された映像を出画する増設親機モニタは、当該モニタ付増設親機の電池から供給される直流電源が動作電源となることにより、モニタ付親機の電源ユニットへの負担を大きくすることなく、モニタ付増設親機の商用電源への接続が不要とされる。
【０００９】
また、本発明のテレビドアホン装置は、電池として、充電回路にて蓄電される２次電池を使用するものである。
【００１０】
また、本発明のテレビドアホン装置において、充電回路は、モニタ付親機からの直流電源の供給により充電されるものである。
【００１１】
このようなテレビドアホン装置によれば、モニタ付増設親機の増設親機モニタへの動作電源を供給する電池に蓄電させる直流電源として、親機ケーブルを介して接続されたモニタ付親機の電源ユニットから供給されモニタ付増設親機の充電回路へと充電される直流電源を適用することができる。
【００１２】
また、本発明のテレビドアホン装置は、電池として、１次電池を使用するものである。
【００１３】
このようなテレビドアホン装置によれば、モニタ付増設親機の増設親機モニタへの動作電源を供給する電池として、１次電池を適用することができる。
【００１４】
また、本発明のテレビドアホン装置において、親機ケーブルは、モニタ付親機から供給される直流電源および増設親機インターホン部へと伝送される信号を重畳して多重化された２線式である。
【００１５】
このようなテレビドアホン装置によれば、モニタ付親機とモニタ付増設親機とを接続する親機ケーブルとして２線式の親機ケーブルを適用することにより、モニタ付親機から供給される直流電源および増設親機インターホン部へと伝送される信号（音声信号）を重畳して多重化でき、省線化が図れる。
【００１６】
また、本発明のテレビドアホン装置において、親機ケーブルは、モニタ付親機から供給される直流電源および増設親機モニタへと伝送される信号を重畳して多重化された２線式である。
【００１７】
このようなテレビドアホン装置によれば、モニタ付親機とモニタ付増設親機とを接続する親機ケーブルとして２線式の親機ケーブルを適用することにより、モニタ付親機から供給される直流電源および増設親機モニタへと伝送される信号（映像変調信号）を重畳して多重化でき、省線化が図れる。
【００１８】
【発明の実施の形態】
以下、本発明のテレビドアホン装置を適用した好ましい形態の実施例について、図面を参照して説明する。
【００１９】
図１は、本発明の実施例によるテレビドアホン装置を示す構成図（全体構成図）である。
【００２０】
図１の構成図に示すテレビドアホン装置は、玄関に設置されるカメラ付玄関子機１と、２線式の子機ケーブルＬ１を介してカメラ付玄関子機１に接続されており住戸内に設置されるモニタ付親機２と、個別の親機ケーブル（以下、それぞれ制御系親機ケーブル、映像系親機ケーブル、音声系親機ケーブル、電源系親機ケーブルという。）Ｌ２、Ｌ３、Ｌ４、Ｌ５をそれぞれ介してモニタ付親機２に接続されており住戸内に設置されるモニタ付増設親機３とが備えられている。
【００２１】
なお、モニタ付増設親機３は１台に限定されず、複数台の当該モニタ付増設親機を住戸内に設置することもできる。
【００２２】
カメラ付玄関子機１は、玄関に居る来訪者が住戸内に在室中の居住者を呼び出すために操作する呼出ボタン１０、呼出操作を行った来訪者の映像を撮影するためのカメラ１１、来訪者が居住者との間で通話を行うためのマイク（以下、子機マイクという。）１２およびスピーカ（以下、子機スピーカという。）１３を有する。
【００２３】
また、モニタ付親機２は、商用電源（ＡＣ１００Ｖ）に接続されており、子機ケーブルＬ１を介して接続されたカメラ付玄関子機１のカメラ１１にて撮影された来訪者の映像を出画するための親機モニタ２０、カメラ付玄関子機１の呼出ボタン１０を操作した来訪者からの呼び出しを報知するための呼出音や来訪者の音声である受話音声を発報するスピーカ（以下、親機スピーカという。）２１ｂおよび当該呼び出しを確認した居住者の音声である送話音声が集音されるマイク（以下、親機マイクという。）２１ａ、当該呼び出しに応答するために居住者が操作する通話ボタン（以下、親機通話ボタンという。）２２を有しており、親機マイク２１ａおよび親機スピーカ２１ｂは、後述する図２のブロック図に示す通話回路２１ｃとともに親機インターホン部２１を構成する。
【００２４】
さらに、モニタ付増設親機３は、映像系親機ケーブルＬ３、モニタ付親機２、子機ケーブルＬ１を介して接続されたカメラ付玄関子機１のカメラ１１にて撮影された来訪者の映像を出画するための増設親機モニタ３０、カメラ付玄関子機１の呼出ボタン１０を操作した来訪者からの呼び出しを報知するための呼出音や来訪者の音声である受話音声を発報するスピーカ（以下、増設親機スピーカという。）３１ｂおよび当該呼び出しを確認した居住者の音声である送話音声が集音されるマイク（以下、増設親機マイクという。）３１ａ、当該呼び出しに応答するために居住者が操作する通話ボタン（以下、増設親機通話ボタンという。）３２を有しており、増設親機マイク３１ａおよび増設親機スピーカ３１ｂは、後述する図２のブロック図に示す通話回路３１ｃとともに増設親機インターホン部３１を構成する。
【００２５】
図２は、本発明の実施例によるテレビドアホン装置の具体的な構成を示すブロック図である。
【００２６】
図２のブロック図に示すテレビドアホン装置において、カメラ付玄関子機１は、上述の呼出ボタン１０、カメラ１１、子機マイク１２、子機スピーカ１３と、来訪者による呼出ボタン１０の操作を検出するための呼出検出回路（以下、子機呼出検出回路という。）１４と、カメラ１１にて撮影された映像であり信号処理された映像信号を変調（ＦＭ変調）するための映像変調回路１５と、子機マイク１２および子機スピーカ１３と後述するインターフェース１８との間で送受信される音声信号を信号処理、すなわち４線／２線変換または２線／４線変換するための通話回路（以下、子機通話回路という。）１６と、モニタ付親機２の後述する電源ユニット２６から給電されてくる直流電源を当該カメラ付玄関子機の構成各部／回路へ動作電源として供給するための電源ユニット（以下、子機電源ユニットという。）１７と、子機呼出検出回路１４、映像変調回路１５、子機通話回路１６、子機電源ユニット１７の各部／回路と子機ケーブルＬ１との間の信号伝送路および電源供給路を形成するための多重・分離機能を備えたインターフェース部（以下、子機Ｉ／Ｆという。）１８とを有する。
【００２７】
また、モニタ付親機２は、上述の親機モニタ２０、親機インターホン部２１を構成する親機マイク２１ａおよび親機スピーカ２１ｂ、親機通話ボタン２２と、当該モニタ付親機の構成各部／回路を動作制御するための制御回路（以下、親機制御回路という。）２３と、来訪者によるカメラ付玄関子機１の呼出ボタン１０の操作を検出するための呼出検出回路（以下、親機呼出検出回路という。）２４と、カメラ付玄関子機１のカメラ１１にて撮影された映像であり変調された映像変調信号を復調（ＦＭ復調）して来訪者の映像を親機モニタ２０に出画させるための映像復調回路（以下、親機映像復調回路という。）２５と、親機マイク２１ａおよび親機スピーカ２１ｂとともに親機インターホン部２１を構成し、親機マイク２１ａおよび親機スピーカ２１ｂ、または音声系親機ケーブルＬ４を介して接続されたモニタ付増設親機３を構成する増設親機インターホン部３１の後述する通話回路３１ｃとの間で送受信される音声信号を信号処理、すなわち４線／２線変換または２線／４線変換するための通話回路（以下、親機通話回路という。）２１ｃと、商用電源（ＡＣ１００Ｖ）について整流／平滑させた直流電源を当該モニタ付親機の構成各部／回路およびカメラ付玄関子機１の構成各部／回路への動作電源として子機電源ユニット１７に供給するとともに、電源系親機ケーブルＬ５を介して接続されたモニタ付増設親機３の増設親機インターホン部３１および後述する制御回路３３への動作電源、充電回路３５へと充電させる電源として供給するための電源ユニット（以下、親機電源ユニットという。）２６と、親機インターホン部２１の親機通話回路２１ｃ、親機呼出検出回路２４、親機映像復調回路２５、親機電源ユニット２６の各部／回路および映像系親機ケーブルＬ３と子機ケーブルＬ１との間の信号伝送路および電源供給路を形成するための多重・分離機能を備えたインターフェース部（以下、親機Ｉ／Ｆという。）２７とを有する。
【００２８】
さらに、モニタ付増設親機３は、上述の増設親機モニタ３０、増設親機インターホン部３１を構成する増設親機マイク３１ａおよび増設親機スピーカ３１ｂ、増設親機通話ボタン３２と、当該モニタ付増設親機の構成各部／回路を動作制御するための制御回路（以下、増設親機制御回路という。）３３と、カメラ付玄関子機１のカメラ１１にて撮影された映像であり変調された映像変調信号を復調して来訪者の映像を増設親機モニタ３０に出画させるための映像復調回路（以下、増設親機映像復調回路という。）３４と、増設親機マイク３１ａおよび増設親機スピーカ３１ｂとともに増設親機インターホン部３１を構成し、増設親機マイク３１ａおよび増設親機スピーカ３１ｂ、または音声系親機ケーブルＬ４を介して接続されたモニタ付親機２を構成する親機インターホン部２１の親機通話回路２１ｃとの間で送受信される音声信号を信号処理、すなわち４線／２線変換または２線／４線変換するための通話回路（以下、増設親機通話回路という。）３１ｃと、電源系親機ケーブルＬ５を介して接続されたモニタ付親機２の親機電源ユニット２６から供給されてくる直流電源を充電するための充電回路３５と、充電回路３５に充電される直流電源が蓄電され、蓄電された直流電源を増設親機モニタ３０および増設親機映像復調回路３４の動作電源として供給するための例えば、リチウム２次電池等の２次電池からなる電池３６とを有する。
【００２９】
このように構成された本発明の実施例によるテレビドアホン装置において、以下、具体的な動作を図面、ここでは図２のブロック図を参照して説明する。
【００３０】
当該テレビドアホン装置が待受状態、すなわち玄関に居る来訪者からの呼び出しがなく通話も行われていない待受時において、住戸内に設置されるモニタ付親機２およびモニタ付増設親機３のうち、モニタ付親機２の親機電源ユニット２６は、商用電源（ＡＣ１００Ｖ）について整流／平滑させた直流電源を、当該モニタ付親機の構成各部／回路への待受時における動作電源として供給するばかりでなく、親機Ｉ／Ｆ２７、子機ケーブルＬ１、カメラ付玄関子機１の子機Ｉ／Ｆ１８、子機電源ユニット１７を介して当該カメラ付玄関子機の構成各部／回路への待受時における動作電源として供給するとともに、電源系親機ケーブルＬ５を介してモニタ付増設親機３の増設親機制御回路３３への待受時における動作電源として供給し、併せて充電回路３５へと供給し充電させ、この充電回路３５は、充電された直流電源を電池３６へと蓄電する。
【００３１】
ここで、住戸内に在室中の居住者を呼び出すために、玄関に居る来訪者がカメラ付玄関子機１の呼出ボタン１０を操作すると、呼出操作を検出した子機呼出検出回路１４の制御によりカメラ１１および映像変調回路１５が作動（作動開始）するとともに、子機Ｉ／Ｆ１８へと呼出信号が出力される。
【００３２】
カメラ付玄関子機１の子機呼出検出回路１４により作動状態に制御されたカメラ１１および映像変調回路１５のうち、カメラ１１は来訪者の映像の撮影を開始する。また、映像変調回路１５は、カメラ１１にて撮影され信号処理された映像信号を映像変調信号に変調（ＦＭ変調）して子機Ｉ／Ｆ１８へと出力する。
【００３３】
カメラ付玄関子機１の子機Ｉ／Ｆ１８は、子機呼出検出回路１４からの呼出信号と映像変調回路１５からの映像変調信号とを重畳し、重畳させた多重信号を子機ケーブルＬ１を介してモニタ付親機２の親機Ｉ／Ｆ２７へと出力する。また、モニタ付親機２の親機Ｉ／Ｆ２７は、カメラ付玄関子機１からの多重信号を呼出信号と映像変調信号とに分離し、呼出信号は親機呼出検出回路２４へ、映像変調信号を親機映像復調回路２５および映像系親機ケーブルＬ３を介してモニタ付増設親機３の増設親機映像復調回路３４へとそれぞれ出力する。
【００３４】
カメラ付玄関子機１からの呼出信号が入力されたモニタ付親機２の親機呼出検出回路２４は、玄関に居る来訪者からの呼び出しを検出し、その旨の呼出検出信号を親機制御回路２３とともに当該親機制御回路、制御系親機ケーブルＬ２を介してモニタ付増設親機３の増設親機制御回路３３へと出力する。
【００３５】
モニタ付親機２の親機制御回路２３は、親機呼出検出回路２４からの呼出検出信号が入力されると、親機インターホン部２１の親機スピーカ２１ｂから呼出音を発報させるとともに親機モニタ２０および親機映像復調回路２５を制御して作動（作動開始）させるばかりでなく、親機電源ユニット２６を制御して上述の待受時における電源供給路と同様な経路を介してカメラ付玄関子機１の子機電源ユニット１７へと呼出・通話時の動作電源を供給するとともに、この直流電源を呼出・通話時の動作電源として電源系親機ケーブルＬ５を介してモニタ付増設親機３の増設親機インターホン部３１および増設親機制御回路３３へと供給する。なお、上述の呼出・通話時の動作電源は、モニタ付増設親機３の充電回路３５に充電させることもできる。
【００３６】
モニタ付増設親機３の増設親機制御回路３３は、モニタ付親機２の親機呼出検出回路２４からの呼出検出信号が入力されると、当該モニタ付親機の親機電源ユニット２６からの直流電源が動作電源である増設親機インターホン部３１の増設親機スピーカ３１ｂから呼出音を発報させるとともに、電池３６に予め蓄電されている直流電源を放電させ増設親機モニタ３０および増設親機映像復調回路３４へと供給してこれらの回路が作動（作動開始）するように制御する。
【００３７】
また、モニタ付親機２の親機映像復調回路２５は、カメラ付玄関子機１からの映像変調信号を復調（ＦＭ復調）し、復調させた映像信号を親機モニタ２０へと出力することにより、玄関にて呼出操作を行った来訪者の映像が親機モニタ２０に出画される。
【００３８】
さらに、モニタ付増設親機３の増設親機映像復調回路３４は、カメラ付玄関子機１からの映像変調信号を復調（ＦＭ復調）し、復調させた映像信号を増設親機モニタ３０へと出力することにより、玄関にて呼出操作を行った来訪者の映像が増設親機モニタ３０に出画される。
【００３９】
ここで、モニタ付親機２を構成する親機インターホン部２１の親機スピーカ２１ｂから発報された呼出音および親機モニタ２０に出画された映像とモニタ付増設親機３を構成する増設親機インターホン部３１の増設親機スピーカ３１ｂから発報された呼出音および増設親機モニタ３０に出画された映像のうち、少なくとも何れかの機器からの呼出音および映像をもとに玄関にて呼出操作を行った来訪者を当該来訪者の判別と併せて確認できた住戸内に在室中の居住者が応答操作を行う。先ずモニタ付親機２の親機通話ボタン２２を操作して応答すると、この応答操作を検出した親機制御回路２３の制御（詳述せず）により居住者が使用する親機インターホン部２１の親機マイク２１ａおよび親機スピーカ２１ｂと親機通話回路２１ｃ、親機Ｉ／Ｆ２７、子機ケーブルＬ１、カメラ付玄関子機１の子機Ｉ／Ｆ１８、子機通話回路１６を介して来訪者が使用する子機マイク１２および子機スピーカ１３との間の通話ラインが形成され、形成された通話ラインを介して音声信号を送受信させることにより通話が成立する。一方、上述の居住者がモニタ付増設親機３の増設親機通話ボタン３２を操作して応答すると、この応答操作を検出した増設親機制御回路３３およびモニタ付親機２の親機制御回路２３の制御（詳述せず）により居住者が使用する増設親機インターホン部３１の増設親機マイク３１ａおよび増設親機スピーカ３１ｂと増設親機通話回路３１ｃ、音声系親機ケーブルＬ４、モニタ付親機２を構成する親機インターホン部２１の親機通話回路２１ｃ、親機Ｉ／Ｆ２７、子機ケーブルＬ１、カメラ付玄関子機１の子機Ｉ／Ｆ１８、子機通話回路１６を介して来訪者が使用する子機マイク１２および子機スピーカ１３との間の通話ラインが形成され、形成された通話ラインを介して音声信号を送受信させることにより通話が成立する。
【００４０】
なお、本発明の実施例において、モニタ付増設親機３の増設親機モニタ３０および増設親機映像復調回路３４への動作電源としての直流電源を供給する供給元は、充電回路３５により蓄電される２次電池からなる電池３６を適用させたが、当該電池は２次電池に限定されず、アルカリマンガン電池等の１次電池も好適とされ、この１次電池を適用するにあたり電源系親機ケーブルＬ５へと接続される充電回路３５は不要とされ回路構成の簡略化が図れる。
【００４１】
また、本発明の実施例においては、モニタ付親機２とモニタ付増設親機３とを個別の制御系親機ケーブルＬ２、映像系親機ケーブルＬ３、音声系親機ケーブルＬ４、電源系親機ケーブルＬ５をそれぞれ介して接続させたが、接続方法はこれに限定されず、モニタ付親機２およびモニタ付増設親機３に別途のインターフェース（図示せず）を備えることにより、２線式の親機ケーブル（図示せず）を介して接続させることができる。この２線式の接続方法では、モニタ付親機２の親機電源ユニット２６から供給される直流電源にカメラ付玄関子機１から伝送されてくる映像変調信号および／または親機インターホン部２１の親機通話回路２１ｃからの音声信号をインターフェース部を介して重畳させ、重畳させた多重信号を２線式の親機ケーブルを介してモニタ付増設親機３へと伝送させることができる。モニタ付増設親機３のインターフェース部では、２線式の親機ケーブルを介して伝送されてきた多重信号を直流電源と映像変調信号および／または音声信号とに分離し、直流電源は増設親機インターホン部３１、増設親機制御回路３３および充電回路３５へ、映像変調信号は増設親機映像復調回路３４へ、音声信号は増設親機インターホン部３１の増設親機通話回路３１ｃへとそれぞれ供給／出力させることができ、配線の省線化が図れる。
【００４２】
【発明の効果】
以上の説明から明らかなように、本発明のテレビドアホン装置によれば、商用電源に接続されたモニタ付親機からモニタ付増設親機への電源供給路を（個別の）親機ケーブルで音声・制御系と映像系とに分け、音声・制御系とされるモニタ増設親機のインターホン部および制御回路へはモニタ付親機の電源ユニットからの直流電源を供給し、映像系とされる増設親機モニタへは当該モニタ付増設親機に内蔵されたモニタ付親機の電源ユニットからの直流電源により充電される充電回路によって蓄電される２次電池、または１次電池から供給することにより、モニタ付親機の電源ユニットの容量を少量増加させるのみで大型化を防止できるばかりでなく、モニタ付増設親機の商用電源への接続が不要とされ設置が容易となり通信異常による誤作動を防止できる。
【００４３】
また、モニタ付親機とモニタ付増設親機とを接続する親機ラインを２線式とすることにより、配線の省線化が図れる。
【図面の簡単な説明】
【図１】本発明の実施例によるテレビドアホン装置を示す構成図（全体構成図）である。
【図２】本発明の実施例によるテレビドアホン装置の具体的な構成を示すブロック図である。
【符号の説明】
１・・・・・カメラ付玄関子機
１０・・・・・呼出ボタン
１１・・・・・カメラ
１２・・・・・マイク（子機マイク）
１３・・・・・スピーカ（子機スピーカ）
２・・・・・モニタ付親機
２０・・・・・親機モニタ
２１・・・・・親機インターホン部
２６・・・・・電源ユニット（親機電源ユニット）
３・・・・・モニタ付増設親機
３０・・・・・増設親機モニタ
３１・・・・・増設親機インターホン部
３５・・・・・充電回路
３６・・・・・電池
Ｌ１・・・・・子機ケーブル
Ｌ２、Ｌ３、Ｌ４、Ｌ５・・・・・親機ケーブル
【図１】
2004229107.tif 000003
【図２】
2004229107.tif 000004